【手続補正書】
【提出日】平成16年5月14日(2004.5.14)
【手続補正１】
【補正対象書類名】明細書
【補正対象項目名】特許請求の範囲
【補正方法】変更
【補正の内容】
【特許請求の範囲】
【請求項１】
外周面に複数の図柄が描かれたドラムを複数同軸にして横方向に並べた回転ドラム部を回転させ、各ドラムごとに用意された停止スイッチの押下に従って対応するドラムを停止させ、すべてのドラムが停止した際の停止態様が有効なライン上に特定の図柄の揃う当選パターンのとき、通常よりも有利な条件で遊技を行うことのできる特別遊技状態に移行して遊技者に利益を付与するスロットマシンにおいて、
前記当選パターンが出現し得るように設定された当選可能状態と前記当選パターンが出現しないように設定された当選不可状態とに遊技状態を切り替える状態設定手段と、前記各ドラムの回転速度を制御する回転制御手段とを有し、
前記回転制御手段は、前記状態設定手段によって遊技状態が前記当選可能状態に設定されているとき、前記当選不可状態に設定されているときの回転速度から各ドラムの回転速度を順次遅くすることを特徴とするスロットマシン。
【請求項２】
外周面に複数の図柄が描かれたドラムを複数同軸にして横方向に並べた回転ドラム部を模した絵柄を表示する表示手段を有し、前記表示手段上で前記回転ドラム部の回転する様子を表示し、各ドラムごとに用意された停止スイッチの押下に従って対応するドラムを停止させ、すべてのドラムが停止した際の停止態様が有効なライン上に特定の図柄の揃う当選パターンのとき、通常よりも有利な条件で遊技を行うことのできる特別遊技状態に移行して遊技者に利益を付与するスロットマシンにおいて、
前記当選パターンが出現し得るように設定された当選可能状態と前記当選パターンが出現しないように設定された当選不可状態とに遊技状態を切り替える状態設定手段と、前記各ドラムの回転速度を制御する回転制御手段とを有し、
前記回転制御手段は、前記状態設定手段によって遊技状態が前記当選可能状態に設定されているとき、前記当選不可状態に設定されているときの回転速度から各ドラムの回転速度を順次遅くすることを特徴とするスロットマシン。
【請求項３】
外周面に複数の図柄が描かれたドラムを複数同軸にして横方向に並べた回転ドラム部を回転させ、各ドラムごとに用意された停止スイッチの押下に従って対応するドラムを停止させ、すべてのドラムが停止した際の停止態様が有効なライン上に特定の図柄の揃う当選パターンのとき、通常よりも有利な条件で遊技を行うことのできる特別遊技状態に移行して遊技者に利益を付与するスロットマシンにおいて、
前記当選パターンが出現し得るように設定された当選可能状態と前記当選パターンが出現しないように設定された当選不可状態とに遊技状態を切り替える状態設定手段と、前記各ドラムの回転速度を制御する回転制御手段とを有し、
前記回転制御手段は、前記状態設定手段によって遊技状態が前記当選可能状態に設定されているとき、前記各ドラムに対応した停止スイッチが押下されるたびに、他の回転中のドラムの回転速度を低下させ、前記当選不可状態に設定されているときよりも前記各ドラムの回転速度を遅くすることを特徴とするスロットマシン。
【請求項４】
外周面に複数の図柄が描かれたドラムを複数同軸にして横方向に並べた回転ドラム部を模した絵柄を表示する表示手段を有し、前記表示手段上で前記回転ドラム部の回転する様子を表示し、各ドラムごとに用意された停止スイッチの押下に従って対応するドラムを停止させ、すべてのドラムが停止した際の停止態様が有効なライン上に特定の図柄の揃う当選パターンのとき、通常よりも有利な条件で遊技を行うことのできる特別遊技状態に移行して遊技者に利益を付与するスロットマシンにおいて、
前記当選パターンが出現し得るように設定された当選可能状態と前記当選パターンが出現しないように設定された当選不可状態とに遊技状態を切り替える状態設定手段と、前記各ドラムの回転速度を制御する回転制御手段とを有し、
前記回転制御手段は、前記状態設定手段によって遊技状態が前記当選可能状態に設定されているとき、前記各ドラムに対応した停止スイッチが押下されるたびに、他の回転中のドラムの回転速度を低下させ、前記当選不可状態に設定されているときよりも前記各ドラムの回転速度を遅くすることを特徴とするスロットマシン。
【手続補正２】
【補正対象書類名】明細書
【補正対象項目名】００１０
【補正方法】変更
【補正の内容】
【００１０】
【課題を解決するための手段】  かかる目的を達成するための本発明の要旨とするところは、次の各項の発明に存する。
［１］外周面に複数の図柄が描かれたドラム（３０ａ〜３０ｃ）を複数同軸にして横方向に並べた回転ドラム部を回転させ、各ドラム（３０ａ〜３０ｃ）ごとに用意された停止スイッチ（１２ａ〜１２ｃ）の押下に従って対応するドラム（３０ａ〜３０ｃ）を停止させ、すべてのドラム（３０ａ〜３０ｃ）が停止した際の停止態様が有効なライン（１７）上に特定の図柄の揃う当選パターンのとき、通常よりも有利な条件で遊技を行うことのできる特別遊技状態に移行して遊技者に利益を付与するスロットマシンにおいて、
前記当選パターンが出現し得るように設定された当選可能状態と前記当選パターンが出現しないように設定された当選不可状態とに遊技状態を切り替える状態設定手段（４３）と、前記各ドラム（３０ａ〜３０ｃ）の回転速度を制御する回転制御手段（４４）とを有し、
前記回転制御手段（４４）は、前記状態設定手段（４３）によって遊技状態が前記当選可能状態に設定されているとき、前記当選不可状態に設定されているときの回転速度から前記各ドラム（３０ａ〜３０ｃ）の回転速度を順次遅くすることを特徴とするスロットマシン。
【手続補正３】
【補正対象書類名】明細書
【補正対象項目名】００１１
【補正方法】変更
【補正の内容】
【００１１】
［２］外周面に複数の図柄が描かれたドラム（３０ａ〜３０ｃ）を複数同軸にして横方向に並べた回転ドラム部を模した絵柄を表示する表示手段を有し、前記表示手段上で前記回転ドラム（３０ａ〜３０ｃ）部の回転する様子を表示し、各ドラム（３０ａ〜３０ｃ）ごとに用意された停止スイッチ（１２ａ〜１２ｃ）の押下に従って対応するドラム（３０ａ〜３０ｃ）を停止させ、すべてのドラム（３０ａ〜３０ｃ）が停止した際の停止態様が有効なライン（１７）上に特定の図柄の揃う当選パターンのとき、通常よりも有利な条件で遊技を行うことのできる特別遊技状態に移行して遊技者に利益を付与するスロットマシンにおいて、
前記当選パターンが出現し得るように設定された当選可能状態と前記当選パターンが出現しないように設定された当選不可状態とに遊技状態を切り替える状態設定手段（４３）と、前記各ドラム（３０ａ〜３０ｃ）の回転速度を制御する回転制御手段（４４）とを有し、
前記回転制御手段（４４）は、前記状態設定手段（４３）によって遊技状態が前記当選可能状態に設定されているとき、前記当選不可状態に設定されているときの回転速度から前記各ドラム（３０ａ〜３０ｃ）の回転速度を順次遅くすることを特徴とするスロットマシン。
【手続補正４】
【補正対象書類名】明細書
【補正対象項目名】００１２
【補正方法】変更
【補正の内容】
【００１２】
［３］外周面に複数の図柄が描かれたドラム（３０ａ〜３０ｃ）を複数同軸にして横方向に並べた回転ドラム部を回転させ、各ドラム（３０ａ〜３０ｃ）ごとに用意された停止スイッチ（１２ａ〜１２ｃ）の押下に従って対応するドラム（３０ａ〜３０ｃ）を停止させ、すべてのドラム（３０ａ〜３０ｃ）が停止した際の停止態様が有効なライン（１７）上に特定の図柄の揃う当選パターンのとき、通常よりも有利な条件で遊技を行うことのできる特別遊技状態に移行して遊技者に利益を付与するスロットマシンにおいて、
前記当選パターンが出現し得るように設定された当選可能状態と前記当選パターンが出現しないように設定された当選不可状態とに遊技状態を切り替える状態設定手段（４３）と、前記各ドラム（３０ａ〜３０ｃ）の回転速度を制御する回転制御手段（４４）とを有し、
前記回転制御手段（４４）は、前記状態設定手段（４３）によって遊技状態が前記当選可能状態に設定されているとき、前記各ドラム（３０ａ〜３０ｃ）に対応した停止スイッチ（１２ａ〜１２ｃ）が押下されるたびに、他の回転中のドラムの回転速度を低下させ、前記当選不可状態に設定されているときよりも前記各ドラム（３０ａ〜３０ｃ）の回転速度を遅くすることを特徴とするスロットマシン。
【手続補正５】
【補正対象書類名】明細書
【補正対象項目名】００１３
【補正方法】変更
【補正の内容】
【００１３】
［４］外周面に複数の図柄が描かれたドラム（３０ａ〜３０ｃ）を複数同軸にして横方向に並べた回転ドラム部を模した絵柄を表示する表示手段を有し、前記表示手段上で前記回転ドラム（３０ａ〜３０ｃ）部の回転する様子を表示し、各ドラム（３０ａ〜３０ｃ）ごとに用意された停止スイッチ（１２ａ〜１２ｃ）の押下に従って対応するドラム（３０ａ〜３０ｃ）を停止させ、すべてのドラム（３０ａ〜３０ｃ）が停止した際の停止態様が有効なライン（１７）上に特定の図柄の揃う当選パターンのとき、通常よりも有利な条件で遊技を行うことのできる特別遊技状態に移行して遊技者に利益を付与するスロットマシンにおいて、
前記当選パターンが出現し得るように設定された当選可能状態と前記当選パターンが出現しないように設定された当選不可状態とに遊技状態を切り替える状態設定手段（４３）と、前記各ドラム（３０ａ〜３０ｃ）の回転速度を制御する回転制御手段（４４）とを有し、
前記回転制御手段（４４）は、前記状態設定手段（４３）によって遊技状態が前記当選可能状態に設定されているとき、前記各ドラム（３０ａ〜３０ｃ）に対応した停止スイッチ（１２ａ〜１２ｃ）が押下されるたびに、他の回転中のドラムの回転速度を低下させ、前記当選不可状態に設定されているときよりも前記各ドラム（３０ａ〜３０ｃ）の回転速度を遅くすることを特徴とするスロットマシン。
【手続補正６】
【補正対象書類名】明細書
【補正対象項目名】００１４
【補正方法】変更
【補正の内容】
【００１４】
前記本発明は次のように作用する。回転制御手段（４４）は、遊技状態が当選可能状態に設定されているとき、当選不可状態に設定されているときよりも各ドラム（３０ａ〜３０ｃ）の回転速度を遅くする。これにより、ドラム（３０ａ〜３０ｃ）の回転速度が遅くなったことによって、遊技者は、今、当選パターンが出現し得る当選可能状態にあることを認識でき、リーチ目等を覚える必要がない。さらに、ドラム（３０ａ〜３０ｃ）の回転速度が遅くなるので、図柄を狙い易くなり、初心者および動体視力の弱い老・壮年者ならびに女性でも目押しによって容易に当選パターンを出現させることができる。
【手続補正７】
【補正対象書類名】明細書
【補正対象項目名】００１５
【補正方法】変更
【補正の内容】
【００１５】
回転ドラム部を模した絵柄を液晶ディスプレイ等の表示手段上に表示するようにしたスロットマシンにおいても、当選可能状態になったときにドラム（３０ａ〜３０ｃ）の回転速度を遅くすることで、上記と同様の効果を得ることができる。
【手続補正８】
【補正対象書類名】明細書
【補正対象項目名】００１６
【補正方法】変更
【補正の内容】
【００１６】
【発明の実施の形態】  以下図面に基づき本発明の一実施の形態を説明する。
各図は本発明の一実施の形態を示している。
図２は、本実施の形態にかかるスロットマシン１０の外観を、図３は、スロットマシン１０の横断面を示している。スロットマシン１０は、縦長の箱形筐体１１の正面中央部に、第１〜第３のストップボタン１２ａ、１２ｂ、１２ｃを、またこれらの左横にレバー型のスタートスイッチ１３を備えている。第１〜第３のストップボタン１２ａ、１２ｂ、１２ｃの上方には、前面パネル１４が設けられ、当該前面パネル１４の中央部分には、透明なガラス板をはめ込んだ観察窓１５ａ、１５ｂ、１５ｃが設けられている。
【手続補正９】
【補正対象書類名】明細書
【補正対象項目名】００１７
【補正方法】変更
【補正の内容】
【００１７】
各観察窓１５ａ、１５ｂ、１５ｃの裏面には、円筒形状を成した第１〜第３のドラム３０ａ、３０ｂ、３０ｃが同軸状に隣接して横方向に配置され、回動可能に支持されている。第１〜第３のドラム３０ａ、３０ｂ、３０ｃの外周面には、「チェリー」、「レモン」、「ベル」等の絵や、「７」、「ＢＡＲ」などの文字から成る図柄が略一定間隔に描かれている。
【手続補正１０】
【補正対象書類名】明細書
【補正対象項目名】００１８
【補正方法】変更
【補正の内容】
【００１８】
観察窓１５ａ、１５ｂ、１５ｃの表面には、メダル投入口１６を通じて投入されたメダルの枚数に対応して有効化される入賞ライン１７が複数描かれている。各入賞ライン１７の両端部には有効表示ランプ１８が配置されており、有効表示ランプ１８を点灯することでどの入賞ライン１７が有効化されているかを示すようになっている。
【手続補正１１】
【補正対象書類名】明細書
【補正対象項目名】００１９
【補正方法】変更
【補正の内容】
【００１９】
スロットマシン１０の正面下部には、賞として払い出されるメダルの排出口１９と、当該排出口１９から払い出されたメダルを受け止める受け皿２０が設けられている。またスロットマシン１０の正面上部には、各種の電飾装置２１が配置されている。なお、図３には図示していないが、スロットマシン１０の内部には、電源部、制御回路基板、メダル払出器等が格納されている。
【手続補正１２】
【補正対象書類名】明細書
【補正対象項目名】００２０
【補正方法】変更
【補正の内容】
【００２０】
図１は、スロットマシン１０の回路構成を示したものである。制御部４０は、スロットマシン１０の各種の動作を統括制御する回路部分であり、ＣＰＵ（中央処理装置）、ＲＯＭ（リード・オンリ・メモリ）、ＲＡＭ（ランダム・アクセス・メモリ）等を主要部とした回路で構成されている。制御部４０には、第１〜第３のストップボタン１２ａ、１２ｂ、１２ｃ、スタートスイッチ１３のほかメダルの投入を検知するメダル投入センサ４１やメダルの払い出しを実行するメダル払出器４２等が接続されている。
【手続補正１３】
【補正対象書類名】明細書
【補正対象項目名】００２１
【補正方法】変更
【補正の内容】
【００２１】
また制御部４０には、第１〜第３のドラム３０ａ、３０ｂ、３０ｃを回転駆動するための第１〜第３のパルスモータ３１ａ、３１ｂ、３１ｃが図示しないドライバー回路を介して接続されている。このほか、第１〜第３のドラム３０ａ、３０ｂ、３０ｃの近傍に配置され、各ドラムの回転角度を検知する図示しないセンサが制御部４０に接続されている。
【手続補正１４】
【補正対象書類名】明細書
【補正対象項目名】００２２
【補正方法】変更
【補正の内容】
【００２２】
制御部４０は、スロットマシン１０における遊技状態を設定変更する遊技状態設定部４３と、第１〜第３のパルスモータ３１ａ、３１ｂ、３１ｃの回転速度や停止位置を制御するための回転速度制御部４４とを有している。遊技状態設定部４３は、特別遊技状態に移行するための当選パターンが出現し得る当選可能状態と、当選パターンが出現しないよう設定された当選不可状態とに遊技状態を切り替える回路部分である。遊技状態設定部４３は図示しない、乱数発生器等を備えており、所定の出現確率で当選可能状態を出現させるようになっている。
【手続補正１５】
【補正対象書類名】明細書
【補正対象項目名】００２３
【補正方法】変更
【補正の内容】
【００２３】
回転速度制御部４４は、第１〜第３のパルスモータ３１ａ、３１ｂ、３１ｃを駆動するための駆動パルスを生成する回路部分であり、生成する駆動パルスの周期を変更することで、各パルスモータ３１ａ、３１ｂ、３１ｃの回転速度を制御するようになっている。
【手続補正１６】
【補正対象書類名】明細書
【補正対象項目名】００２４
【補正方法】変更
【補正の内容】
【００２４】
また、回転角度を検知するセンサからの情報を基にして、設定した位置で各ドラム３０ａ〜３０ｃが停止するように制御する機能を備えている。ただしストップスイッチ１２ａ〜１２ｃの押下されたタイミングと大幅に外れた位置でドラムを停止させるのは不自然なので、この場合には、設定位置以外の箇所でドラムを停止させるようになっている。
【手続補正１７】
【補正対象書類名】明細書
【補正対象項目名】００２５
【補正方法】変更
【補正の内容】
【００２５】
次に作用を説明する。
スロットマシン１０は、メダル投入口１６から１枚〜３枚のメダルが投入されると、投入されたメダルの枚数に応じて、入賞ライン１７を有効化し、有効化された入賞ライン１７の両端に配置されている有効表示ランプ１８を点灯させる。すなわち、メダルが１枚投入されたときは、センターラインのみを有効化し、２枚の場合には、上中下の横ラインを有効化し、３枚掛けではこれらに斜めの入賞ラインを加えた合計５つのラインを有効化する。
【手続補正１８】
【補正対象書類名】明細書
【補正対象項目名】００２６
【補正方法】変更
【補正の内容】
【００２６】
メダルが投入された後、スタートスイッチ１３が操作されると、第１〜第３のドラム３０ａ、３０ｂ、３０ｃを一斉に回転させる。その後、ストップボタン１２ａ〜１２ｃが押下されると、押下されたスイッチに対応するドラム３０ａ〜３０ｃを停止させる。すべてのドラム３０ａ〜３０ｃが停止した際に、有効化された入賞ライン１７上に所定の図柄が揃うと、その図柄に割り当てられている役に応じた枚数のメダルが排出口１９から受け皿２０に払い出される。
【手続補正１９】
【補正対象書類名】明細書
【補正対象項目名】００２７
【補正方法】変更
【補正の内容】
【００２７】
また、特定の図柄が揃う当選パターンが出現すると特別遊技状態に入り、以後、所定の解除条件が満足されるまでの間、極めて有利な条件で遊技が進行し、合計で３００枚から４００枚のメダルを払い出す、いわゆるボーナスゲームになる。ここでは、「７７７」の図柄がセンターライン上に揃う状態を当選パターンに設定してある。
【手続補正２０】
【補正対象書類名】明細書
【補正対象項目名】００２８
【補正方法】変更
【補正の内容】
【００２８】
遊技状態設定部４３は、第１〜第３のストップボタン１２ａ、１２ｂ、１２ｃの操作タイミングによって当選パターンが揃い得る当選可能状態と、当選パターンが揃わないように設定した当選不可状態とに、スロットマシン１０の遊技状態を切り替える。たとえば、ボーナスゲームが数百分の１の確率で出現するように、適宜のタイミングで当選可能状態を形成するようになっている。
【手続補正２１】
【補正対象書類名】明細書
【補正対象項目名】００２９
【補正方法】変更
【補正の内容】
【００２９】
遊技状態設定部４３の設定した遊技状態が当選可能状態のときは、回転する各ドラム３０ａ〜３０ｃ上の図柄を狙って第１〜第３のストップボタン１２ａ、１２ｂ、１２ｃを押下する、いわゆる目押しを行い、かつ押下したタイミングが適正であれば、当選パターンが出現する。一方、遊技状態が当選不可状態のときは、目押しを行っても、当選パターンが出現することはない。
【手続補正２２】
【補正対象書類名】明細書
【補正対象項目名】００３０
【補正方法】変更
【補正の内容】
【００３０】
なお、当選可能状態のときにストップスイッチ１２ａ〜１２ｃの押下されたタイミングとドラムの停止する箇所が大きく外れていなければ当選パターンが出現する場合もある。
【手続補正２３】
【補正対象書類名】明細書
【補正対象項目名】００３１
【補正方法】変更
【補正の内容】
【００３１】
回転速度制御部４４は、遊技状態設定部４３によって設定された遊技状態が当選可能状態のとき、遊技状態が当選不可状態のときに比べて、第１〜第３のドラム３０ａ、３０ｂ、３０ｃの回転速度を遅くする。
この遅くする方法は、回転開始後、次第に回転速度を遅くしてもよく、また、ストップスイッチが押下されて１つずつドラムが停止するたびに、未だ停止していない残りのドラムの回転速度を遅くするようにしてもよい。
【手続補正２４】
【補正対象書類名】明細書
【補正対象項目名】００３２
【補正方法】変更
【補正の内容】
【００３２】
第１〜第３のドラム３０ａ、３０ｂ、３０ｃの回転速度が遅くなったことによって、遊技者は、今、当選パターンの出現し得る当選可能状態にあることを知ることができ、この機会に目押しすることで当選パターンを出現させて、ボーナスゲームを獲得することができる。これにより、従来のようにリーチ目等を覚える必要がなく、初心者でも、ゲームを十分に楽しむことができる。
【手続補正２５】
【補正対象書類名】明細書
【補正対象項目名】００３３
【補正方法】変更
【補正の内容】
【００３３】
また、当選可能状態に入ったとき、第１〜第３のドラム３０ａ、３０ｂ、３０ｃの回転速度が遅くなるので、図柄を狙い易くなり、的確なタイミングで目押しを行うことができ、初心者、動体視力の弱い老・壮年者、女性でもボーナスゲームによる利益を獲得することが容易になる。
【手続補正２６】
【補正対象書類名】明細書
【補正対象項目名】００３４
【補正方法】変更
【補正の内容】
【００３４】
以上説明した実施の形態では、実際にドラムを回転させるスロットマシンを示したが、ドラムを模した絵柄を液晶ディスプレイ等の表示手段上に表示するスロットマシンであってもよい。すなわち、当選可能状態になったときに液晶ディスプレイ上に表示するドラムの回転速度を遅くすることで、上述と同様の効果を得ることができる。
【手続補正２７】
【補正対象書類名】明細書
【補正対象項目名】００３５
【補正方法】変更
【補正の内容】
【００３５】
【発明の効果】  本発明にかかるスロットマシンによれば、遊技状態が当選可能状態に設定されているとき、ドラムの回転速度を遅くしたので、リーチ目等を覚えなくても、遊技者は、ドラムの回転速度の低下によって、当選パターンの出現し得る状態にあることを認識できる。またドラムの回転速度が遅くなるので、目押しが容易になり、初心者や動体視力の低下している老・壮年者、および長時間ゲームをして動体視力の落ちている遊技者でも十分に目押しをすることができるのでゲームを楽しむことができる。